(57)【要約】【課題】通気性を損なうことなく花粉等の微粒子を防ぐ、耳に装着するマスクを提供する。【解決手段】耳のサイズに合わせた袋または袋状物１に耳を入れる口２を設け、フィルター部３を有し、口２に隙間を防止する弾性体６を有する、不織布４シートで形成した耳に被せるマスク。または耳孔のサイズに合わせて形成したフィルター部３と取り出し用のつまみ１５と切れ込み１８からなる、不織布４シートで形成した耳孔に装着するマスクであることを特徴とする。【選択図】図２
2016221192.tif 000002
【特許請求の範囲】
【請求項１】
フィルター部を有して、耳を入れる口を有する、耳のサイズに合わせた袋または袋状物であることを特徴とする、耳に被せるマスク。
【請求項２】
耳を入れる口を有する、耳のサイズに合わせた袋または袋状物で、不織布で形成することを特徴とする、請求項１に記載の耳に被せるマスク。
【請求項３】
耳を入れる口を有する、耳のサイズに合わせた袋または袋状物で、フィルター機能を持つ材料で形成することを特徴とする、請求項１または２のいずれかに記載の耳に被せるマスク。
【請求項４】
耳を入れる口を有する、耳のサイズに合わせた袋または袋状物で、口または袋部に弾性体または弾性部を設けることを特徴とする、請求項１〜３のいずれかに記載の耳に被せるマスク。
【請求項５】
耳を入れる口を有する、耳のサイズに合わせた袋または袋状物で、積層であることを特徴とする、請求項１〜４のいずれかに記載の耳に被せるマスク。
【請求項６】
耳を入れる口を有する、耳のサイズに合わせた袋または袋状物で、着用面側の一部または全部に粘着部を有することを特徴とする、請求項１〜５のいずれかに記載の耳に被せるマスク。
【請求項７】
耳を入れる口を有する、耳のサイズに合わせた袋または袋状物で、口または袋部に隙間を防ぐワイヤー部または耳掛け用のフレームを設けることを特徴とする、請求項１〜６のいずれかに記載の耳に被せるマスク。
【請求項８】
耳を入れる口を有する、耳のサイズに合わせた袋または袋状物で、袋または袋状物に襞またはたわみを有することを特徴とする、請求項１〜７のいずれかに記載の耳に被せるマスク。
【請求項９】
耳孔のサイズに合わせたフィルター部により形成される、耳に入れて使用することを特徴とする、耳孔に装着するマスク。
【請求項１０】
耳孔のサイズに合わせたフィルター部により形成される、耳に入れて使用することを特徴とするマスクで、取り出し用の、つまみまたは紐等の突出部または形状を有することを特徴とする、請求項９に記載の耳孔に装着するマスク。
【請求項１１】
耳孔のサイズに合わせたフィルター部により形成される、耳に入れて使用することを特徴とするマスクで、不織布またはフィルター機能を持つ材料で形成することを特徴とする、請求項９または１０のいずれかに記載の耳孔に装着するマスク。
【請求項１２】
耳孔のサイズに合わせたフィルター部により形成される、耳に入れて使用することを特徴とするマスクで、積層であることを特徴とする、請求項９〜１１のいずれかに記載の耳孔に装着するマスク。
【請求項１３】
耳孔のサイズに合わせたフィルター部により形成される、耳に入れて使用することを特徴とするマスクで、積層部のサイズを変えることを特徴とする、請求項９〜請求項１２のいずれかに記載の耳孔に装着するマスク。
【請求項１４】
耳孔のサイズに合わせたフィルター部により形成される、耳に入れて使用することを特徴とするマスクで、襞または波状形またはたわみを有することを特徴とする、請求項９〜１３のいずれかに記載の耳孔に装着するマスク。
【請求項１５】
耳孔のサイズに合わせたフィルター部により形成される、耳に入れて使用することを特徴とするマスクで、粘着部を有することを特徴とする、請求項９〜１４のいずれかに記載の耳孔に装着するマスク。
【請求項１６】
耳孔のサイズに合わせたフィルター部により形成される、耳に入れて使用することを特徴とするマスクで、耳掛け用のフレームを設けることを特徴とする、請求項９〜１５のいずれかに記載の耳孔に装着するマスク。
【請求項１７】
耳孔のサイズに合わせたフィルター部により形成される、耳に入れて使用することを特徴とするマスクで、切れ目または切れ込みを有することを特徴とする、請求項９〜１６のいずれかに記載の耳孔に装着するマスク。
【請求項１８】
耳孔のサイズに合わせたフィルター部により形成される、耳に入れて使用することを特徴とするマスクで、フィルター部と取り出し用の突出部またはつまみが単一のシート材から一体的に成形されていることを特徴とする、請求項９〜１７のいずれかに記載の耳孔に装着するマスク。
【請求項１９】
耳孔のサイズに合わせたフィルター部により形成される、耳に入れて使用することを特徴とするマスクで、平面状に形成されていることを特徴とする、請求項９〜１８のいずれかに記載の耳孔に装着するマスク。
【発明の詳細な説明】
【技術分野】
【０００１】  本発明は耳に装着するマスクに係り、特に耳に装着するマスク及びに耳孔に装着するマスクに関する。
【背景技術】
【０００２】  従来、花粉やウイルス、アレルゲン物質等の微粒子が耳内に直接侵入することを防止するための１回使用ないし数回使用を目的とした使い捨てタイプまたは繰り返し使用可能なタイプの耳用のマスクは無かった。
また、その目的を果たすために従来は、耳栓、ディスポーザーキャップ等の衛生帽子、保温用のイヤーパッド、耳あて等で代用されていた。
【発明の概要】
【発明が解決しようとする課題】
【０００３】  従来、耳内に微粒子等が直接侵入することを防止するために使用されていた代用品にはそれぞれ次のような欠点があった。
耳栓は、花粉、ホコリ等の耳内への侵入を防ぐことはできたが、周囲の音が聞こえなくなり、外出時や車の運転時に安全面で問題があった。
ディスポーザーキャップ等の衛生帽子は、耳まで覆うことができるが日常生活においては帽子は不要であり外出時には外見上やファッション面で問題があった。
保温用の耳に着用するイヤーパッドは、保温が目的であり、素材が厚く通気性が悪く、周囲の音が聞き取りにくくなることによる外出時や車運転時の安全面での問題は耳栓と同様だった。
そして花粉が一番多く飛来する春夏等の気温が高い季節には着用が困難であった。また着用しても耳に熱と湿度がこもり耳内の細菌を増殖させる原因になっていた。
いずれも、花粉やウイルスが耳内に侵入することを防ぐ目的で作られた製品ではなかった。
耳から侵入した花粉、ウイルス等の微粒子が目や鼻に入り込むことを防止するための代用品ではない製品の創案が望ましかった。
本発明はこのような点に鑑みて創案されたものであり、耳内に直接花粉、アレルゲン物質、ウイルス等の微粒子が侵入することを防止または軽減するのに有効な技術を提供することを目的とする。
【課題を解決するための手段】
【０００４】  上記課題を達成するため、各請求項に記載の発明が構成される。【０００５】  本発明の耳に装着するマスクは、１回の使用ないし数回使用を目的とした使い捨てのタイプのマスクであってもよいし、洗濯等を行うことによって繰り返し使用可能なタイプの耳に装着するマスクであってもよい。【０００６】  耳に被せるマスクについて説明をする。【０００７】  一つの発明は、耳のサイズに合わせて形成した袋または袋状物に、耳を入れる口や切れ目を設け、空気中の花粉やホコリ、ウイルス、細菌、ＰＭ２．５等の微粒子や物質が耳内に直接侵入することを防ぐための、ろ過、捕集、ブロック等を目的とするフィルター部またはフィルター素材を有している。耳に被せるマスクである。【０００８】  耳に被せるマスク本体部である袋または袋状物の全部または一部を、フィルター層を形成する通気性と遮断性（捕集性）がよい不織布またはフィルター素材または、両方のシートで形成することを典型的な構成とする。【０００９】  本発明の更なる形態においては、耳を入れる口周囲の一部または全部にゴム等の弾性体や弾性部または伸縮性のよい素材、伸縮部を設けることにより、耳にフィットさせて隙間を防止する構造になっている。【００１０】  本発明の更なる形態においては、不織布またはフィルター素材、または両方のシートを数枚重ね合わせて袋または袋状物を形成し、積層で構成されている。【００１１】  本発明の更なる形態においては、耳への着用時に耳の前側付け根に接する口の部分に、低アレルゲンの糊、粘着剤、粘着テープ等の粘着部を設けている。
これにより、耳の付け根付近にできる隙間の発生を防止して微粒子の侵入を防ぐ効果を高めている。【００１２】  本発明の更なる形態においては、口または袋部に耳掛け用のフレームまたは口を閉じて隙間を防止するためのフレームを設けている。
隙間防止用のフレームでは、口の一部または全部に耳の形状に合わせるための、変形と形状固定が可能な素材またはフレームを設けている。【００１３】  本発明の更なる形態においては、袋または袋状物に襞または、たわみを有している。これにより、一定の空間を確保している。【００１４】  耳孔に装着するマスクについて説明する。【００１５】  本発明に係る耳孔に装着するマスクは、耳孔のサイズまたは形状に合わせて形成されたフィルター部を有することを特徴とする耳に入れて使用する耳孔装着型マスクである。【００１６】  耳孔に装着するマスクにおいては、耳孔に挿入されるフィルター部と、取り出し用のつまみ、または紐、または形状等で形成される突出部から構成されている。
突出部に限らず、切れ込みや本体と一体的な棒状等の長い形状等を取り出し用のつまみとすることも可能である。
フィルター部の形状は下記記載のいずれの場合も、立体的または平面的に形成することができる。【００１７】  耳孔に装着するマスクにおいては、フィルター部を不織布またはフィルター機能を持つ材料で形成している。
フィルター部のシート材は、上記耳に被せるマスクと同様の素材が好適である。【００１８】  耳孔に装着するマスクの更なる形態においては、フィルター部が積層により形成されている。
複数枚の不織布またはフィルター素材、またはその両方を重ねたシートの中央部を接合している。
耳孔の奥に挿入する側から順に、小、中、大のサイズにしたシートを重ねることによる積層の構造で隙間の発生を防止し、微粒子の捕集効果を高めている。【００１９】  耳孔に装着するマスクの更なる形態においては、フィルター部に襞または波状形またはたわみを有している。
これにより、挿入時には、この形状自体がフィルターの役割をすると同時に隙間を防止している。【００２０】  耳孔に装着するマスクの更なる形態においては、本体部の耳に接する一部または全部に低アレルゲン等の粘着部を有している。
これにより、隙間の発生を防止している。【００２１】  耳孔に装着するマスクの更なる形態においては、本体部に耳に掛けるフレームを有している。
これにより、本体の脱落を防止している。【００２２】  耳孔に装着するマスクの更なる形態においては、フィルター部に切れ目または切れ込みを有する形状で形成している。
これにより、耳孔挿入時に発生するシート材のたわみによる隙間の発生を防止している。【００２３】  耳孔に装着するマスクの更なる形態においては、フィルター部とつまみ部を単一のシート材から一体的に成形していることにより製造が容易になっている。【００２４】  耳孔に装着するマスクの更なる形態においては、フィルター部とつまみ部が平面状に形成されている。
この形状の特徴から非着用時には平面的に収納され、着用時に耳孔に挿入することで形状が立体的に展開する。【００２５】  耳に被せるマスク、耳孔に装着するマスクともに、記載される構成と形成の、一部または全部を組み合わせることにより。その効果及びに機能を高めることができる。
【発明の効果】
【００２６】  本発明に係る耳に装着するマスクにより、音の伝わりや通気性を損なわずに、花粉やウイルス等の微粒子が耳内に直接侵入することを防ぐことができる。
従来使用されていた代用物を使用する際に生じていた通気性、遮断性、捕集性等の機能と、音の聞き取りやすさの安全面、外見面等において両立が困難であった着用時の問題を解決することができる。
通気性をよくして着用による蒸れを防止すると同時に、耳から直接侵入する花粉等のアレルゲン物質、ウイルス、細菌、ＰＭ２．５、等の侵入を軽減または防止することができる。
それらの機能により耳内の痒みや花粉アレルギー、かぶれの発生を予防する。
また、花粉等を原因とする耳内のかぶれや痒みで耳の中を過剰に掃除することによる細菌の付着や外耳炎を予防することに一定の役割を果たすことができる。
耳から侵入した微粒子が目や鼻に入り込むことにより起きると考えられる目や鼻の症状を一定程度軽減する効果も考えられる。
【図面の簡単な説明】
【００２７】
【図１】本発明にかかる耳に被せるマスクの着用面側から見た斜視図である。
【図２】一実施の形態の耳に被せるマスクの着用面側から見た斜視図である。
【図３】図２の構造の一部変更例を示す、着用面側から見た斜視図である。
【図４】図２の構造の一部変更例を示す、着用面側から見た斜視図である。
【図５】図２の構造の一部変更例を示す、着用面側から見た斜視図である。
【図６】図２、図４の構造の一部変更例を示す、着用面側から見た斜視図である。
【図７】図２の構造の変更例を示す、側面側から見た断面図である。
【図８】図７の着用面側から見た平面図である。
【図９】図２の構造の変更例を示す、非着用面側から見た斜視図である。
【図１０】図２の構造の変更例を示す、側面側から見た一部断面図である。
【図１１】図１０の構造の一部変更例を示す、側面側から見た一部断面図である。
【図１２】図７の構造の一部変更例を示す、側面側から見た断面図である。
【図１３】図２の構造の一部変更例を示す、着用面側から見た斜視図である。
【図１４】図２の構造の一部変更例を示す、着用面側から見た斜視図である。
【図１５】図２の構造の一部変更例を示す、側面側から見た一部断面図である。
【図１６】図２の構造の変更例を示す、非着用面側から見た斜視図である。
【図１７】図１の構造の変更例を示す着用面側から見た斜視図である。
【図１８】本発明にかかる耳に被せるマスクが着用されたときの状態を表す模式図。
【図１９】本発明にかかる耳孔装着型マスクの非着用面側から見た斜視図である。
【図２０】図１９の構造の変更例を示す、非着用面側から見た斜視図である。
【図２１】図２０の構造の変更例を示す、非着用面側から見た分解斜視図である。
【図２２】図２１の構造の一部変更例を示す、側面側から見た断面図である。
【図２３】図２１の構造の一部変更例を示す、非着用面から見た分解斜視図である。
【図２４】図１９の構造の変更例を示す、非着用面側から見た斜視図である。
【図２５】図１９の構造の一部変更例を示す、非着用面側から見た斜視図である。
【図２６】図１９の構造の変更例を示す、非着用面側から見た斜視図である。
【図２７】図１９の構造の変更例を示す、非着用面側から見た平面図である。
【図２８】図１９の構造の変更例を示す、非着用面側から見た斜視図である。
【図２９】図２７の形状の変更例を示す、非着用面側から見た斜視図である。
【図３０】本発明にかかる耳孔装着型マスクが着用されたときの状態を表す模式図。
【発明を実施するための形態】
【００２８】  以下、本発明の耳用マスクの実施の形態について、図１から図３０を参照して説明する。
【００２９】  本発明の耳用マスクは、１回〜数回の使用を想定した使い捨て耳用マスクとして構成されている。また、本実施の形態の耳用マスクは耳に直接侵入する花粉対策、風邪等のウイルスや細菌対策、ＰＭ２．５等の微粒子対策、それらが耳に入ることによる耳の痒み、アレルギー反応やかぶれ、外耳炎予防等の耳孔内の環境改善等の種々の用途に使用可能である。
【００３０】  本発明の実施の一形態である耳に被せるマスクについて、図１から図１８を参照して説明する。
【００３１】  図１は、耳に被せるマスクの非着用状態を着用面側から見た図である。
耳のサイズ、形状に合わせて形成された袋または袋状物１に、耳を入れる口２や切れ目を設け袋状物１にフィルター部３を有している。
フィルター部３は空気中の花粉等のアレルゲン物質、ウイルス、細菌、ＰＭ２．５等の微粒子が耳内に直接侵入することを防止する、通気性、捕集性、遮断性のよい素材やシート等で形成されている。
このフィルター部３は、袋状物１の一部であってもよいし、全部であってもよく種々のフィルター用のシート材やその他フィルター機能を有する材料を使用して形成することができる。
口２の位置や形状は耳の形やサイズに合わせて形成し、耳の外周部も入れやすい形状に適宜変更することができ、袋状物１の正面または側面的な位置等のどの位置に配置してもよい。
袋状物１の形状もまた耳の形やサイズに合わせて適宜変更することができる。
これが、耳に被せるマスクの基本的な構成である。
【００３２】  図２は、袋状物１の材料を不織布４で形成した耳に被せるマスクを着用面側から見た図である。
通気性と捕集性（遮断性）がよい不織布４のシートで、袋状物１を形成している。
材料は不織布４以外にもフィルター素材５等の、フィルター機能を有するシート材で形成することができる。
図は一枚で袋状物１が形成されており、３６０度にフィルター部３が形成されている。
複数枚を使用して袋状物１を形成することもできる。
本体の材料には、ポリプロピレン、ポリエチレン、ポリエステル、ポリオレフィン、ポリウレタン、ナイロン、レーヨン、綿ガーゼ、等の不織布４または織布を用いて形成する。
フィルター部３には、帯電機能、静電気系フィルター、活性炭等の多孔質を有する素材、酸化チタン等の光触媒機能を有する素材、銀系の抗菌材、抗ウイルス加工、Ｎ９５規格のフィルター、ＰＭ２．５をろ過するフィルム、活性炭素繊維、等を有するフィルター材やシート材を用いることができる。
【００３３】  図３は、耳を入れる口２を直線の切れ込み形にした耳に被せるマスクを着用面側から見た図である。
切れ込みの形状は直線、曲線、小さい穴、等の単体またはそれらを組み合わせた形状等で形成する。
【００３４】  図４、図５は、口２の部分に弾性体６または弾性部７を設けた耳に被せるマスクを着用面から見た図である。
耳を入れる口２の周囲にゴム等の弾性体６や弾性部７または伸縮性の高い素材、伸縮部を設けることにより耳にフィットさせて隙間を防止する構造になっている。
口２部に使用する弾性体６や弾性部７の素材はポリエステル、ポリウレタン、ナイロン、ポリイソプレン、ポリオレフィン等が好適である。
作りとしては、不織布やフィルター素材で形成した袋の口を筒状にし、そこにゴム紐を通してギャザーにする方法、口に糸のループを作りそこにゴム紐を通す方法、口の周辺部に弾性体を編み込んだ弾性部７を設ける方法、伸縮性を有する素材を使用する方法、ディスポーザーキャップやオムツ等で使用されている方法等、種々の方法や組み合わせを用いて形成することができる。
形態としては、未使用時には棒状に折りたたんだ形状で、使用時に広げて使用する方法等が可能である。
【００３５】  図６は、袋状物１に弾性体６を設けて折り返し部２６をつけた耳に被せるマスクを着用面から見た図である。
袋状物１の本体部を耳に被せた後、弾性体６を折り返し部２６に巻いて使用することができる。
【００３６】  図７、図８は袋状物１を別の構造にした耳に被せるマスクの断面図と着用面側から見た平面図である。
袋状物１を一枚のシートで形成する以外にもこのような方法がある。
楕円形等の耳の形状とサイズに合わせた２枚のシートを重ねて、外周等の辺を接合して形成した封筒状の袋または袋状物１の着用側に口２を設けている。
一例として、シート材は非着用面にポリエステルの不織布、着用面にポリオレフィンの組み合わせ等がある。
その他、一枚のシートで封筒形にするための展開図形を作成し、それを封筒状の袋状物にする等の方法を用いることができる。
【００３７】  図９は袋状物１が、耳の付け根から外周部に向かって広がる形状を持つ耳に被せるマスクを非着用面側から見た図である。
これにより、耳の空間が保たれている。
口２の位置を耳の付け根の位置や形状に合わせる等の組み合わせと調整により隙間の防止効果と空間確保を果たす形成が可能である。
【００３８】  図１０、図１１、図１２は、袋状物１の不織布４やフィルター素材５を積層にした耳に被せるマスクの断面図である。
不織布４、フィルター素材５またはその両方のシートを数枚重ね合わせて袋または袋状物１を形成した積層の構造を有している。
これにより通気性を保ちながらもフィルター部３の捕集性や遮断性の効果を更に高めている。
好適には、不織布４シートが、非着用面の外側層、フィルターの中間層、着用面の内側層、の３層に積層された積層シートにより形成される。
図１２は図７の袋状物１の形成を積層にした場合の断面図である。
袋または袋状物１の一部または全部が積層であるタイプ、分離したシートを後から袋または袋状物１本体の中に入れて使用するタイプ等が可能である。
【００３９】  図１３は袋状物１に粘着部８を有している耳に被せるマスクを着用面側から見た図である。
着用時に耳の付け根前部に接する口２の部分に、低アレルゲン等の糊、粘着剤、粘着テープ、通気性のよい粘着シート等の粘着部８を有している。
これにより、耳の付け根前部に発生する隙間を防止し微粒子の侵入を防ぐ効果を高めている。
【００４０】  図１４は、口２の周囲に耳の形状に合わせるための可変形状固定ワイヤー９を設けた耳に被せるマスクを着用面側から見た図である。
本実施の形態では、口２または袋部に耳の形状に合わせて口を閉じて隙間を防止するための可変形状固定ワイヤー９または耳掛け用フレームを有する。
この口を閉めて隙間を防止する可変形状固定ワイヤー９は、普通のマスク等で使用されているノーズフィッター部等と同様のポリエチレンや針金、ワイヤー、形状固定が可能な素材や樹脂等で形成されている。
耳掛け用のフレームを設ける場合は、普通の口鼻用マスクで使用されるノーズフィッター部と同様の材料、上記口を閉めるワイヤーと同様の材料、変形と形状固定が可能な素材や樹脂等により、耳に掛けることができる形状で形成される。
これにより耳と本体部の隙間を防止することができる。
【００４１】  図１５は、フィルター部３に襞またはプリーツ１０を有している耳に被せるマスクの断面図である。
本実施の形態では、本体部である袋状物１に襞やプリーツ１０またはたわみを有していることにより耳のサイズと袋のサイズの調整が可能であり、一定の空間を確保することができる。
【００４２】  図１６は、袋状物１に枠である枠フレーム１１を有する耳に被せるマスクを非着用面側から見た図である。
袋状物１に枠フレーム１１を設けて骨組をしっかり固定させて形状を安定させている。
枠フレーム１１は、普通の口鼻用マスクに使用されているノーズフィッター部等と同様のポリエチレンやワイヤー、変形と形状固定が可能な素材や硬質の樹脂等の材料を用いて形成する。ここではポリエチレン樹脂１２で枠フレームを形成している。
また、紙で形成したワイヤー、フェルト、スポンジ、またはやや硬めか硬質の材料等であってもよく、種々の材料での形成が可能である。
フィルタ−部３の形状が安定することにより、積層にした際に発生するたわみ等で通気性が損なわれることがなく、不織布４や織布等以外にも形状固定型の種々のフィルター素材やシート等が使用できるようになる。
フィルター部３は枠フレーム１１により固定された面の全面や一部に設けることができる。
【００４３】  図１７は袋状物１本体部のフィルター部３にＰＭ２．５ろ過フィルター部１３を設けた耳に被せるマスクの非着用面側から見た図である。
材料としては活性炭素繊維、Ｎ９５規格のフィルター素材等を用いることができる。
このように通気性は低下するが捕集性、遮断性の高い素材や形状で形成してもよい。
ここでは一例として、着用面側に伸縮素材１４を使用している。
【００４４】  図１８は、耳に被せるマスクを着用時の模式図である。
【００４５】  本発明の実施の別形態の耳孔に装着するマスクについて、図１９から図３０を参照して説明する。
【００４６】  図１９は、立体的に成形されるフィルター部３に、取り出し用つまみ１５を有する耳孔に装着するマスクを非着用面側から見た図である。
通気性と捕集性のよい不織布４で立体的に成形したフィルター部３と、そこから突出したつまみ１５と切れ込み１８で構成されている。
これにより耳に被せるマスクとは異なり、気温の高い春夏でも更に蒸れにくく快適に着用使用することができる。フィルター部３を耳孔にのみ絞って形成された耳孔に装着するマスクである。
切れ込み１８の形状や有無はフィルター部３の形状と材料の質によって適宜変更できる
つまみ１５は本発明を耳内から取り出すことができれば突出部が紐や帯でもよく、種々の形状、接合法を用いることができる。
内側への切れ込みにより形成される形状や、長い楕円形やひょうたん形、棒状、等にした本体部の形と突出部が一体化している形状をつまみとしてもよい。
本体部であるフィルター部３の材料には、ポリプロピレン、ポリエチレン、ポリエステル、ポリオレフィン、ポリウレタン、ナイロン、レーヨン、綿ガーゼ等の不織布または織布を用いて形成する。
フィルター素材５には、前記の耳に被せるマスクと同様の種々の素材やシート等を用いることができる。
好適には、通気性、捕集性、遮断性のよい不織布またはフィルター素材または両方を重ねたシートで形成することを典型的な構成とする。
本体部であるフィルター部３は立体的または平面状に成形される。
これが耳孔に装着するマスクの基本的な構成である。
【００４７】  図２０は、フィルタ−部３を平面状に成形しつまみ１５を接合した耳孔に装着するマスクを非着用面側から見た図である。
平面上に成形したフィルター部３を不織布４で形成し切れ込み１８を有し、つまみ１５を接合部２４で接合している。
平面的に成形することで、耳孔への挿入時に立体的に展開される形状となっている。
これにより、収納時のスペースに厚み幅をとらずに持ち運びができる。
切れ込み１８が耳孔挿入時に広がり、たわみによる隙間の発生を防止している。
【００４８】  図２１は、平面状に成形されたフィルター部３を積層にした耳孔に装着するマスクを非着用面から見た分解斜視図である。
切れ込み１８を有し、平面状に成形された、不織布４の外側層２３、フィルター素材５の中間層２２、耳孔に挿入する不織布４の内側層２１の三層に積層された積層シートにより形成される。
外側層２３、中間層２２、内側層２１、の順に大、中、小、の大きさで形成されている。
これは中央部のみを接合した場合において、耳内挿入時に耳孔内で発生するたわみや隙間を外側部が覆う役割を持っている。
外側層、中間層、内側層、のサイズだけではなく、形状、サイズの順番、材料、網目、シート材の柔軟度、内側層の中央部分に切れ込みを入れる、切れ込みの深さ、切れ込みの配置を互い違いにする等を組み合わせることで、隙間の発生を防ぐ効果を高めることができる。
接合部は中央部でなくともよく、辺部や全面をどのように接合または成形してもよい。
中央部で接合する場合には、シート間を密着させて接合する場合と、３層を約２〜３ミリ程度ずつ間隔をあけて接合すること等が可能である。
立体的構造でも平面状構造でも積層にすることができる。
つまみ１５の位置は外側、中間、内側のいずれでもよい。
【００４９】  図２２は、図２１の積層タイプで各層のサイズを変更しない場合の耳孔に装着するマスクの断面図である。
外側層に不織布４、中間層にフィルター素材５、内側層に不織布４を有して取り出し部であるつまみ１５は外側層の端部に突出部を設け一体的に成形されている。
【００５０】  図２３は、図２１の切れ込み１８の形状を花弁形にした耳孔に装着するマスクの分解斜視図である。
花弁形にし、切れ込み１８も深いことで直線の切れ込みよりも耳孔挿入時に発生する内側層のたわみに押し出されにくくなっている。
花弁形は、一体的な成形でも後から接合された物でもよい。
【００５１】  図２４は立体的に構成されフィルター部３が花弁形になっており、波状形部１６と折り返し部２６を有する耳孔に装着するマスクの非着用面側から見た図である。
ツツジや椿の花弁を裏返しにしたようなタイプの形状であり、波状形部１６や最初からたわみや襞を有していることにより隙間の発生を防ぐ形状の１形態である。切れ込みをいれてもよい。
これは比較的柔軟性の高い不織布４やフィルター素材５で形成する。
【００５２】  図２５は、回転放物面を有する立体的な構造のフィルター部３の本体に取り出し用の紐部１７と切れ込み１８を設け、耳と接する面側に粘着部８を有する、耳孔に装着するマスクの非着用面側から見た図である。
低アレルゲン等の粘着部を有することで、アレルギー症状に配慮しながら耳と本体部の隙間を防止している。
【００５３】  図２６は、フィルター部３本体に耳掛けフレーム部２７を有した耳孔に装着するマスクを非着用面側から見た図である。
立体的または平面的な構造のフィルター部３に、耳の形状に合わせた耳掛けフレーム部２７を有し、耳と本体を固定する。
耳との立体的な調整はアーム部２５を曲げて行う。
この耳掛けフレーム２７は固定式でも脱着式でもよく、脱着式の場合は端部に本体部の立体的形状部分を挟み込んで装着するための切れ目を入れた輪やリング状またはその他の形状や構造を有する。
固着式の場合には、普通の口鼻用マスクのノーズフィッター部等で使用される材料や紙、樹脂等で耳掛けフレーム形状を形成し本体部と接合する。
ポリエチレンン等の不織布で一体的に成形してもよい。
材料はいかなる材料を使用してもよい。
別の例としては、弾性体６等のリング状のゴム紐をフィルター部本体に設けて、本体部であるフィルター部３の落下を防止する等の方法が可能である。
【００５４】  図２７は、本体部であるフィルター部３とつまみ１５を、単一のシート材から一体的に成形した、耳孔に装着するマスクを正面から見た図である。
平面状に成形され切れ込み１８を有している。
フィルター部３とつまみ１５を、単一のシート材から一体的に平面状に成形していることで製造が容易であると同時に、持ち運び時に厚みが無く、財布のカードケースや、手帳、手帳型スマートフォンケースのカード入れ、胸ポケット等に入れて持ち運ぶことが可能である。
未使用時には平面状に収納され、使用時に耳孔内で立体的に展開される。
一例として、本体部に山折り線、谷折り線等をつけて立体的展開を容易にする形状で成形すること等が可能である。
材料は不織布４やフィルター素材５等のシートで成形され、ポリプロピレン、ポリエチレン、ポリエステル、ポリオレフィン、ポリウレタン、ナイロン、レーヨン、等の不織布または織布や材料等で形成される。
前記の別例のようにシート材を積層にした構成でも形成できる。
切れ込み１８や取り出しつまみ１５の配置や形状等も種々の方法を用いることができる。
【００５５】  図２８は、本体部であるフィルター部３に襞やたわみ、波状形部１６を有する立体的な構造で形成され、取り出し紐部１７を有する耳孔に装着するマスクを非着用面側から見た図である。
泡立てネットで使用される形状と同様の形状である。
製造方法としては、数枚のシートまたは波状形を有する袋やネット状にした不織布４を蛇腹折りにする、不定形に折り曲げる等にして束ねた物を紐部１７で結び、それを広げて襞や波状形部１６を形成する等、泡立てネットを作成する際に使用される種々の製造方法がある。
またティッシュペーパーのシートを使用して薔薇等の造花を作成する際に用いられる製造方法や形状でもよい。
泡立てネット、ティッシュペーパーまたは普通の造花作成の際に用いられる種々の製造方法、形状、構成が可能である。
【００５６】  図２９は、フィルター部３本体部と切れ込み１８を花形及びに花弁形に成形した耳孔に装着するマスクを非着用面から見た図である。
桜やコスモス、ガーベラ等の種々の花の形にすることで、アクセサリー性を高めることができる。
切れ込み１８の付け根部分を曲線にする花形でもよい。
着色して実際の花に近い形状と色にすることができる。デザインの一例である。
【００５７】  脱脂綿や不織布またはフィルター素材等を円柱形等の棒状にして弾性を持たせた耳栓形の耳孔に装着するマスクとしてもよい。
この場合もサイズは耳孔に合わせたサイズで成形される。
【００５８】  図３０は、耳孔に装着するマスクを着用時の模式図である。
【００５９】  普通の口鼻用マスクに本発明の耳に被せるマスク、耳孔に装着するマスクを有する構成も可能である。
【００６０】  ヘッドフォン型の頭部装着アームや保温用耳あてのフレームに本発明の、耳に被せるマスク、耳孔に装着するマスクを設けた構成も可能である。
ヘッドフォン型においては、不織布等で形成するフィルター部を耳あて部またはイヤーパッド部に有しており、頭に装着するアーム部の両端に取り付けられている。
ヘッドフォンアームと耳あて部またはイヤーパッド部は、固定式または着脱式等で構成される。
【００６１】  本発明は、実施の形態で説明した構成に限定されず、種々の変更、追加、削除が可能である。
【００６２】  耳に被せるマスクに係る形成には以下の構成を用いることができる。
本体部、フィルター部、口部、袋部、材料、弾性部、積層部、粘着部、フレーム部、襞部としては種々の構成の本体部、フィルター部、口部、袋部、材料、弾性部、積層部、粘着部、フレーム部、襞部を用いることができる。
本体部、フィルター部、口部、袋部、材料、弾性部、積層部、粘着部、フレーム部、襞部は種々の材料を用いて、また種々の方法や組み合わせを用いて形成することができる。
さらに、本体部、フィルター部、口部、袋部、材料、弾性部、積層部、粘着部、フレーム部、襞部を接合する方法としては、種々の接合方法を用いることができる。
本体部のフィルター部、口部、袋部、材料、弾性部、積層部、粘着部、フレーム部、襞部の形状等は、適宜変更可能である。
フィルター部、口部、袋部、材料、弾性部、積層部、粘着部、フレーム部、襞部、の配置位置等、組み合わせは、適宜変更可能である。
実施の形態で説明した各構成は、単独で用いることもできるし、適宜選択した複数の構成を組み合わせて用いることもできる。
【００６３】  耳孔に装着するマスクに係る形成等には以下の構成を用いることができる。
本体部、フィルター部、材料、つまみ部、紐部、切れ込み部、積層部、粘着部、フレーム部、一体的な成形部、立体的成形部、平面状成形部としては種々の構成の本体部、フィルター部、材料、つまみ部、紐部、切れ込み部、積層部、粘着部、フレーム部、一体的な成形部、立体的成形部、平面状成形部を用いることができる。
本体部、フィルター部、材料、つまみ部、紐部、切れ込み部、積層部、粘着部、フレーム部、一体的な成形部、立体的成形部、平面状成形部は種々の材料を用いて、また種々の方法や組み合わせを用いて形成することができる。
さらに、本体部、フィルター部、材料、つまみ部、紐部、切れ込み部、積層部、粘着部、フレーム部、一体的な成形部、立体的成形部、平面状成形部の成形部を接合する方法としては、種々の接合方法を用いることができる。
本体部、フィルター部、材料、つまみ部、紐部、切れ込み部、積層部、粘着部、フレーム部、一体的な成形部、立体的成形部、平面状成形部の形状等は、適宜変更可能である。
フィルター部、材料、つまみ部、紐部、切れ込み部、積層部、粘着部、フレーム部、一体的な成形部、立体的成形部、平面状成形部の配置位置等、組み合わせは、適宜変更可能である。
耳孔に装着するマスク本体部のフィルター部は、平面的な構造であってもよいし、立体的な構造であってもよい。
図は一例としての、立体構造フィルター部１９と平面構造フィルター部２０である。
実施の形態で説明した各構成は、単独で用いることもできるし、適宜選択した複数の構成を組み合わせて用いることもできる。
【符号の説明】
【００６４】１・・・・・袋状物
２・・・・・口
３・・・・・フィルター部
４・・・・・不織布
５・・・・・フィルター素材
６・・・・・弾性体
７・・・・・弾性部
８・・・・・粘着部
９・・・・・可変形状固定ワイヤー
１０・・・・・プリーツ
１１・・・・・枠フレーム
１２・・・・・ポリエチレン樹脂
１３・・・・・ＰＭ２．５濾過フィルター部
１４・・・・・伸縮素材
１５・・・・・つまみ
１６・・・・・波状形部
１７・・・・・紐部
１８・・・・・切れ込み
１９・・・・・立体構造フィルター部
２０・・・・・平面構造フィルター部
２１・・・・・内側層
２２・・・・・中間層
２３・・・・・外側層
２４・・・・・接合部
２５・・・・・アーム部
２６・・・・・折り返し部
２７・・・・・耳掛けフレーム部
１００・・・・・耳に被せるマスク本体
１０１・・・・・耳孔に装着するマスク本体
【図１】
2016221192.tif 000003
【図２】
2016221192.tif 000004
【図３】
2016221192.tif 000005
【図４】
2016221192.tif 000006
【図５】
2016221192.tif 000007
【図６】
2016221192.tif 000008
【図７】
2016221192.tif 000009
【図８】
2016221192.tif 000010
【図９】
2016221192.tif 000011
【図１０】
2016221192.tif 000012
【図１１】
2016221192.tif 000013
【図１２】
2016221192.tif 000014
【図１３】
2016221192.tif 000015
【図１４】
2016221192.tif 000016
【図１５】
2016221192.tif 000017
【図１６】
2016221192.tif 000018
【図１７】
2016221192.tif 000019
【図１８】
2016221192.tif 000020
【図１９】
2016221192.tif 000021
【図２０】
2016221192.tif 000022
【図２１】
2016221192.tif 000023
【図２２】
2016221192.tif 000024
【図２３】
2016221192.tif 000025
【図２４】
2016221192.tif 000026
【図２５】
2016221192.tif 000027
【図２６】
2016221192.tif 000028
【図２７】
2016221192.tif 000029
【図２８】
2016221192.tif 000030
【図２９】
2016221192.tif 000031
【図３０】
2016221192.tif 000032